(57)【要約】【課題】廃棄有機物が当該処理槽の処理能力の限界を越えて投入されてしまうという問題を確実に解消することができ、しかも、メンテナンスの容易な発酵分解処理装置を提供することを目的とする。【解決手段】廃棄有機物を収納し、その廃棄有機物をバクテリアを培養したおが屑で分解処理する発酵分解処理装置において、上記処理槽の支持部分にロードセルを取り付けて廃棄有機物の重量を計測し、廃棄有機物が当該処理槽の処理能力の限界を越えて投入されたとき、重量オーバを知らせるロードセルからの信号によって警報器が作動するようにして発酵分解処理装置を使用禁止にするようにしたことを特徴とする発酵分解処理装置。【選択図】          図１
2005111322.tif 000002
【特許請求の範囲】
【請求項１】
廃棄有機物を収納し、その廃棄有機物をバクテリアを培養したおが屑で分解処理する発酵分解処理装置において、上記処理槽の支持部分にロードセルを取り付けて廃棄有機物の重量を計測し、廃棄有機物が当該処理槽の処理能力の限界を越えて投入されたとき、重量オーバを知らせるロードセルからの信号によって警報器が作動するようにして発酵分解処理装置を使用禁止にするようにしたことを特徴とする発酵分解処理装置。
【請求項２】
発酵分解処理装置の処理槽が、それぞれ両側で一対をなす四隅近傍の４点支持、片側二隅近傍の２点支持、片側中央近傍の１点支持のいずれかに取り付けたロードセルで支持されていることを特徴とする請求項１に記載の発酵分解処理装置。
【請求項３】
ロードセルで計測した廃棄有機物重量の表示が、処理槽および処理槽の内容物を含む処理槽総重量、おが屑と廃棄有機物重量とを加算した処理槽内容物重量、廃棄有機物重量のみ、のいずれかであることを特徴とする請求項１または２に記載の発酵分解処理装置。
【請求項４】
警報の発令後に、バクテリアの分解処理やヒータによる加熱等によって廃棄有機物重量が減少しても、バクテリアの最適能力を発揮できるところまで廃棄有機物重量が減少するのを待って警報の解除を行わないようにしたことを特徴とする請求項１ないし３のいずれかに記載の発酵分解処理装置。
【発明の詳細な説明】
【技術分野】
【０００１】
この発明は人や家畜の糞尿、生ごみ等の廃棄有機物を発酵分解する処理装置、特にトイレに好適な発酵分解処理装置に関する。
【背景技術】
【０００２】
従来、トイレとして人や家畜の糞尿、生ごみ等の廃棄有機物を発酵分解する処理装置が使用されている。この発酵分解処理装置１は図１２に示すように処理槽２とその処理槽内に設置した攪拌部３とその処理槽外に設置した駆動部４とから構成する。そして、処理槽２はその上壁を全て一枚の開閉自在な上蓋５にし、そこに糞用開口、尿用開口、排気用開口、コンポスト取り出し用開口等を設け、糞尿を開口に導入し、排気を開口から導出するための各接続管６、７、８をそれぞれ立設し、更にコンポスト取り出し用開口に取っ手９付き置き蓋１０をする。
【０００３】
また、攪拌部３は回転軸１１とその回りに軸線１２に沿って中央で２分割して螺旋状に配置した帯状部材１３（１３ａ、１３ｂ）とそれ等の帯状部材１３を軸線１２より等距離離して支える多数の支持棒１４とから構成する。そして、回転軸１１の両端部を処理槽２の前後壁１５（１５ａ、１５ｂ）の各中央に設けた支持穴（軸穴）に挿通して架設する。なお、回転軸１１に対する帯状部材１３の巻き方向は前部と後部とで反対にする。
【０００４】
さらに、駆動部４には通常モータを用い、その回転軸１６と攪拌部３の回転軸１１とを例えばチェーン軸継手１７によって連結する。このようにチェーン軸継手１７を用いるのは攪拌部３を製作する際、円筒管を回転軸１１の中央部に用い、その円筒管の軸線１２に沿って多数の支持棒１４を分配して、各支持棒１４の一端部を夫々溶接により円筒管に固定するため、どうしても回転軸１１にねじれ、曲がり等の変形が発生し易く、両回転軸１１、１６の軸線同士が一致しないからである。なお、モータ４はその取付台１８の一端を処理槽２の前壁１５ｂに溶接して固定する。
【０００５】
このような発酵分解処理装置１を用いると、接続管６等から処理槽２内に投入したおが屑中に糞尿や生ごみ等の廃棄有機物を入れ、それ等を攪拌部３により攪拌して、その軸線１２に沿って前後方向に適宜搬送しながら微生物によって発酵させ、コンポストを製造することができる。その際、処理槽２中に特に水等を入れる必要はない。
【０００６】
しかし、処理槽２内に廃棄有機物を収納し、その廃棄有機物をバクテリアを培養したおが屑で処理し、水分とわずかな無機物の残渣に分解する際、廃棄有機物が当該処理槽２の処理能力の限界を越えて投入された場合、分解処理されていない廃棄有機物から悪臭と汚れが周囲の環境に撒き散らされ、環境が悪化したり、公害の発生につながるおそれが強い。
【０００７】
従来は、予め処理槽で処理可能な廃棄有機物の総重量を算出しておき、使用者一人当たりの廃棄有機物の重量で割って、利用可能な使用者数を割り出しておく。そして、その利用者数に達した時点で各種の警報手段を用いて、トイレ等を使用不能にすることが行われていた。
【０００８】
その場合、大便や小便のそれぞれについての用を足す使用者を推定し、あるいは大便器や小便器の利用頻度をセンサ等で計測して、適宜その使用者数に達した時点でトイレ等を使用不能にしている。
【特許文献１】特に参考になるものなし。
【非特許文献１】同上。
【発明の開示】
【発明が解決しようとする課題】
【０００９】
しかしながら、このような発酵分解処理装置にしても、大便と小便との比率の予測が外れたり、季節変動によって使用者数と廃棄有機物の総量とが対応せず、廃棄有機物が当該処理槽の処理能力の限界を越えて投入されてしまって、分解処理されていない廃棄有機物から悪臭と汚れが周囲の環境に撒き散らされ、環境が悪化したり公害の発生につながるおそれがあった。
【００１０】
この発明はこのような従来の問題点に着目してなされたものであり、廃棄有機物が当該処理槽の処理能力の限界を越えて投入されてしまうという問題を確実に解消することができ、しかも、メンテナンスの容易な発酵分解処理装置を提供することを目的とする。
【課題を解決するための手段】
【００１１】
上記目的を達成するために、この発明に係る発酵分解処理装置は、廃棄有機物を収納し、その廃棄有機物をバクテリアを培養したおが屑で分解処理する発酵分解処理装置において、上記処理槽の支持部分にロードセルを取り付けて廃棄有機物の重量を計測し、廃棄有機物が当該処理槽の処理能力の限界を越えて投入されたとき、重量オーバを知らせるロードセルからの信号によって警報器が作動するようにして発酵分解処理装置を使用禁止にするようにしたことを特徴とするものである。
【００１２】
この発明の発酵分解処理装置は、上記発酵分解処理装置の処理槽が、それぞれ両側で一対をなす四隅近傍の４点支持、片側二隅近傍の２点支持、片側中央近傍の１点支持のいずれかに取り付けたロードセルで支持されていることをも特徴とするものである。
【００１３】
また、この発明の発酵分解処理装置は、上記ロードセルで計測した廃棄有機物重量の表示が、処理槽および処理槽の内容物を含む処理槽総重量、おが屑と廃棄有機物重量とを加算した処理槽内容物重量、廃棄有機物重量のみのいずれかであることをも特徴とするものである。
【００１４】
この発明の発酵分解処理装置は、上記警報の発令後に、バクテリアの分解処理やヒータによる加熱等によって廃棄有機物重量が減少しても、バクテリアの最適能力を発揮できるところまで廃棄有機物重量が減少するのを待って警報の解除を行わないようにしたことをも特徴とするものである。
【００１５】
一般に、計量機等で用いられるロードセルは、一端の固定部と、他端の可動部と、これらの間で上下平行に延びる一対のビーム部とが設けられた中空四角形状の起歪体を用い、前記ビーム部において前記固定部または可動部との連結部近傍で相対的に肉薄状とされた歪発生部としてのノッチ部にそれぞれ歪ゲージを貼り付けた構成で、荷重を負荷することにより、前記可動部が前記固定部に対して相対的に下方に変位することに伴って各歪発生部に圧縮歪または引張歪が生じたときに、これを歪ゲージによって検出することにより、負荷された荷重を測定するようになっている。
この発明の発酵分解処理装置は、上記ロードセルで処理槽を支持し、処理槽および処理槽の内容物を含む処理槽総重量、おが屑と廃棄有機物重量とを加算した処理槽内容物重量、廃棄有機物重量のみのいずれかを計測し、廃棄有機物が当該処理槽の処理能力の限界を越えて投入されることを、トイレを使用禁止として防止するようにしたものである。
【発明の効果】
【００１６】
以上説明した本発明によれば、廃棄有機物が当該処理槽の処理能力の限界を越えて投入されてしまうという問題を確実に解消することができ、しかも、メンテナンスの容易な発酵分解処理装置を提供することが可能となった。
【発明を実施するための最良の形態】
【００１７】
以下、添付の図１ないし図１０を参照して、本発明の実施の形態を説明する。図１は本発明を適用した発酵分解処理装置の要部を示す側面図、図２はその正面図、図３はロードセルの平面図、図４はその側面図、図５はその正面図、図６は片側中央近傍の１点支持部分に取り付けたロードセルで支持された状態を示す概略図、図７は片側二隅近傍の２点支持部分に取り付けたロードセルで支持された状態を示す概略図、図８は発酵分解処理装置の処理槽が片側中央近傍の１点支持部分と片側二隅近傍の２点支持部分に取り付けたロードセルで支持された状態を示す概略図、図９は発酵分解処理装置の処理槽がそれぞれ両側で一対をなす四隅近傍の４点支持部分に取り付けたロードセルで支持された状態を示す概略図、図１０（ａ）はトイレの全体像、（ｂ）はその要部を示し、１点支持の場合の概略図、図１１（ａ）はトイレの全体像、（ｂ）はその要部を示し、２点支持の場合の概略図である。
【００１８】
図１ないし図５において、この発酵分解処理装置２０は処理槽２１とその処理槽内に設置した攪拌部２２とその処理槽外に設置した駆動部２３とから構成し、従来のものと基本構造をほぼ同一にする。そして、処理槽２１はトイレ等のハウジング２４内に適宜の支持手段を介して設置されている。図１および図２においてはその支持手段としてロードセル２５が使用されている。
【００１９】
上記ロードセル２５は、一端の固定部１０１と、他端の可動部１０２と、これらの間で水平に延びるビーム部１０３とが設けられた四角形状の起歪体１００を用い、前記ビーム部１０３において前記固定部１０１または可動部１０２との連結部近傍で相対的に肉薄状とされた歪発生部としてのノッチ部１０４にそれぞれ歪ゲージ（図示せず）を貼り付けた構成で、荷重を負荷することにより、前記可動部１０２が前記固定部１０１に対して相対的に下方に変位することに伴って歪発生部としてのノッチ部１０４に圧縮歪または引張歪が生じたときに、これを歪ゲージによって検出することにより、負荷された荷重を測定するようになっている。
図において、１０５は固定部１０１を取り付ける固定枠で、固定台１０６上に設置されており、１０７は処理槽２１への連結枠である。ロードセル２５は固定部１０１および可動部１０２のそれぞれに設けたボルト孔１０８に挿通したボルト１０９によって各枠に取り付けられている。
【００２０】
上記実施例においては、図６に示すように、発酵分解処理装置２０の処理槽２１が、片側中央近傍の１点支持部位に取り付けたロードセル２５で支持されている。そしてその片側一対の支持部分はロードセルではなく、ダミー２６が使用されている。２７は重量指示計で、上記ロードセル２５に接続され、またこの重量指示計２７にはパトライトのような警報器２８がロードセル２５と直列に接続されている。
【００２１】
したがって、ロードセル２５で処理槽および処理槽の内容物を含む処理槽総重量、おが屑と廃棄有機物重量とを加算した処理槽内容物重量、廃棄有機物重量のみ、のいずれかを計測し、廃棄有機物が当該処理槽２１の処理能力の限界を越えて投入されることが明らかとなった時点で、所定の数値を設定された重量指示計２７の指示により警報器２８が作動するようになる。
【００２２】
また図７に示す実施例では、発酵分解処理装置３０の処理槽３１が、それぞれ片側二隅近傍の２点支持部位に取り付けたロードセル３５で支持されている。そしてその片側一対の支持部分はロードセルではなく、ダミー３６が使用されている。３７は重量指示計で、加算箱３９を介して上記一対のロードセル３５に接続され、またこの重量指示計３７にはパトライトのような警報器３８が加算箱３９と直列に接続されている。
【００２３】
また図８に示す実施例では、発酵分解処理装置４０の処理槽４１が、片側二隅近傍の2点支持部位に取り付けたロードセル４５と、片側中央近傍の１点支持部位に取り付けたロードセル４６で支持されている。４７は重量指示計で、加算箱４９を介して上記一対のロードセル４５およびロードセル４６に接続され、またこの重量指示計４７にはパトライトのような警報器４８が加算箱４９と直列に接続されている。
【００２４】
また図９に示す実施例では、発酵分解処理装置４０の処理槽４１が、それぞれ両側で一対をなす四隅近傍の４点支持部位に取り付けたロードセル４５で支持されている。４７は重量指示計で、加算箱４９を介して上記一対のロードセル４５に接続され、またこの重量指示計４７にはパトライトのような警報器４８が加算箱４９と直列に接続されている。
【００２５】
次に図１０（ａ）はトイレの全体像、（ｂ）はその要部を示すもので、トイレの建屋５１にはそのドア５２の上部に、パトライトのような警報器５３が取り付けられている。この警報器５３は重量指示計５４を介して処理槽５５を支持する１点支持部位のロードセル５６に接続されている。５７はゆれ防止用ダミーである。
【００２６】
図１１（ａ）はトイレの全体像、（ｂ）はその要部を示すもので、この例ではトイレの建屋６１にはそのドア６２の上部に、パトライトのような警報器６３が取り付けられている。この警報器６３は重量指示計６４および和算箱６５を介して処理槽６６を支持する２点支持部位のロードセル６７に接続されている。６８はゆれ防止用ダミーである。
【産業上の利用可能性】
【００２７】
以上説明した本発明によれば、人や家畜の糞尿、生ごみ等の廃棄有機物を発酵分解する処理装置、特にトイレに好適な発酵分解処理装置を提供することができる。
【図面の簡単な説明】
【００２８】
【図１】この発明を適用した発酵分解処理装置の要部を示す側面図である。
【図２】その正面図である。
【図３】ロードセルの平面図である。
【図４】その側面図である。
【図５】その正面図である。
【図６】発酵分解処理装置の処理槽が片側中央近傍の１点支持部分に取り付けたロードセルで支持された状態を示す概略図である。
【図７】片側二隅近傍の２点支持部分に取り付けたロードセルで支持された状態を示す概略図である。
【図８】片側二隅近傍の2点支持部位に取り付けたロードセルと、片側中央近傍の１点支持部位に取り付けたロードセルで支持された状態を示す概略図である。
【図９】それぞれ両側で一対をなす四隅近傍の４点支持部分に取り付けたロードセルで支持された状態を示す概略図である。
【図１０】（ａ）はトイレの全体像、（ｂ）はその要部を示し、１点支持の場合の概略図である。
【図１１】（ａ）はトイレの全体像、（ｂ）はその要部を示し、２点支持の場合の概略図である。
【図１２】従来の発酵分解処理装置の左側面図である。
【符号の説明】
【００２９】
２０  発酵分解処理装置
２１  処理槽
２２  攪拌部
２３  駆動部
２４  ハウジング
２５  ロードセル
２６  ダミー
２７  重量指示計
２８  警報器
３０  発酵分解処理装置
３１  処理槽
３５  ロードセル
３６  ダミー
３７  重量指示計
３８  警報器
３９  加算箱
４０  発酵分解処理装置
４１  処理槽
４５  ロードセル
４６  ロードセル
４７  重量指示計
４８  警報器
４９  加算箱
５１  トイレの建屋
５２  ドア
５３  警報器
５４  重量指示計
５５  処理槽
５６  ロードセル
５７  ゆれ防止用ダミー
６１  トイレの建屋
６３  警報器
６４  重量指示計
６５  和算箱
６６  処理槽
６７  ロードセル
６８  ゆれ防止用ダミー
１００  起歪体
１０１  固定部
１０２  可動部
１０３  ビーム部
１０４  ノッチ部
１０５  固定枠
１０６  固定台
１０７  連結枠
１０８  ボルト孔
１０９  ボルト
【図１】
2005111322.tif 000003
【図２】
2005111322.tif 000004
【図３】
2005111322.tif 000005
【図４】
2005111322.tif 000006
【図５】
2005111322.tif 000007
【図６】
2005111322.tif 000008
【図７】
2005111322.tif 000009
【図８】
2005111322.tif 000010
【図９】
2005111322.tif 000011
【図１０】
2005111322.tif 000012
【図１１】
2005111322.tif 000013
【手続補正書】
【提出日】平成15年11月26日(2003.11.26)
【手続補正１】
【補正対象書類名】明細書
【補正対象項目名】全文
【補正方法】変更
【補正の内容】
【発明の詳細な説明】
【技術分野】
【０００１】
この発明は人や家畜の糞尿、生ごみ等の廃棄有機物を発酵分解する処理装置、特にトイレに好適な発酵分解処理装置に関する。
【背景技術】
【０００２】
従来、トイレとして人や家畜の糞尿、生ごみ等の廃棄有機物を発酵分解する処理装置が使用されている。この発酵分解処理装置１は図１１に示すように処理槽２とその処理槽内に設置した攪拌部３とその処理槽外に設置した駆動部４とから構成する。そして、処理槽２はその上壁を全て一枚の開閉自在な上蓋５にし、そこに糞用開口、尿用開口、排気用開口、コンポスト取り出し用開口等を設け、糞尿を開口に導入し、排気を開口から導出するための各接続管６、７、８をそれぞれ立設し、更にコンポスト取り出し用開口に取っ手９付き置き蓋１０をする。
【０００３】
また、攪拌部３は回転軸１１とその回りに軸線１２に沿って中央で２分割して螺旋状に配置した帯状部材１３（１３ａ、１３ｂ）とそれ等の帯状部材１３を軸線１２より等距離離して支える多数の支持棒１４とから構成する。そして、回転軸１１の両端部を処理槽２の前後壁１５（１５ａ、１５ｂ）の各中央に設けた支持穴（軸穴）に挿通して架設する。なお、回転軸１１に対する帯状部材１３の巻き方向は前部と後部とで反対にする。
【０００４】
さらに、駆動部４には通常モータを用い、その回転軸１６と攪拌部３の回転軸１１とを例えばチェーン軸継手１７によって連結する。このようにチェーン軸継手１７を用いるのは攪拌部３を製作する際、円筒管を回転軸１１の中央部に用い、その円筒管の軸線１２に沿って多数の支持棒１４を分配して、各支持棒１４の一端部を夫々溶接により円筒管に固定するため、どうしても回転軸１１にねじれ、曲がり等の変形が発生し易く、両回転軸１１、１６の軸線同士が一致しないからである。なお、モータ４はその取付台１８の一端を処理槽２の前壁１５ｂに溶接して固定する。
【０００５】
このような発酵分解処理装置１を用いると、接続管６等から処理槽２内に投入したおが屑中に糞尿や生ごみ等の廃棄有機物を入れ、それ等を攪拌部３により攪拌して、その軸線１２に沿って前後方向に適宜搬送しながら微生物によって発酵させ、コンポストを製造することができる。その際、処理槽２中に特に水等を入れる必要はない。
【０００６】
しかし、処理槽２内に廃棄有機物を収納し、その廃棄有機物をバクテリアを培養したおが屑で処理し、水分とわずかな無機物の残渣に分解する際、廃棄有機物が当該処理槽２の処理能力の限界を越えて投入された場合、分解処理されていない廃棄有機物から悪臭と汚れが周囲の環境に撒き散らされ、環境が悪化したり、公害の発生につながるおそれが強い。
【０００７】
従来は、予め処理槽で処理可能な廃棄有機物の総重量を算出しておき、使用者一人当たりの廃棄有機物の重量で割って、利用可能な使用者数を割り出しておく。そして、その利用者数に達した時点で各種の警報手段を用いて、トイレ等を使用不能にすることが行われていた。
【０００８】
その場合、大便や小便のそれぞれについての用を足す使用者を推定し、あるいは大便器や小便器の利用頻度をセンサ等で計測して、適宜その使用者数に達した時点でトイレ等を使用不能にしている。
【特許文献１】特に参考になるものなし。
【非特許文献１】同上。
【発明の開示】
【発明が解決しようとする課題】
【０００９】
しかしながら、このような発酵分解処理装置にしても、大便と小便との比率の予測が外れたり、季節変動によって使用者数と廃棄有機物の総量とが対応せず、廃棄有機物が当該処理槽の処理能力の限界を越えて投入されてしまって、分解処理されていない廃棄有機物から悪臭と汚れが周囲の環境に撒き散らされ、環境が悪化したり公害の発生につながるおそれがあった。
【００１０】
この発明はこのような従来の問題点に着目してなされたものであり、廃棄有機物が当該処理槽の処理能力の限界を越えて投入されてしまうという問題を確実に解消することができ、しかも、メンテナンスの容易な発酵分解処理装置を提供することを目的とする。
【課題を解決するための手段】
【００１１】
上記目的を達成するために、この発明に係る発酵分解処理装置は、廃棄有機物を収納し、その廃棄有機物をバクテリアを培養したおが屑で分解処理する発酵分解処理装置において、上記処理槽の支持部分にロードセルを取り付けて廃棄有機物の重量を計測し、廃棄有機物が当該処理槽の処理能力の限界を越えて投入されたとき、重量オーバを知らせるロードセルからの信号によって警報器が作動するようにして発酵分解処理装置を使用禁止にするようにしたことを特徴とするものである。
【００１２】
この発明の発酵分解処理装置は、上記発酵分解処理装置の処理槽が、それぞれ両側で一対をなす四隅近傍の４点支持、片側二隅近傍の２点支持、片側中央近傍の１点支持のいずれかに取り付けたロードセルで支持されていることをも特徴とするものである。
【００１３】
また、この発明の発酵分解処理装置は、上記ロードセルで計測した廃棄有機物重量の表示が、処理槽および処理槽の内容物を含む処理槽総重量、おが屑と廃棄有機物重量とを加算した処理槽内容物重量、廃棄有機物重量のみのいずれかであることをも特徴とするものである。
【００１４】
この発明の発酵分解処理装置は、上記警報の発令後に、バクテリアの分解処理やヒータによる加熱等によって廃棄有機物重量が減少しても、バクテリアの最適能力を発揮できるところまで廃棄有機物重量が減少するのを待って警報の解除を行わないようにしたことをも特徴とするものである。
【００１５】
一般に、計量機等で用いられるロードセルは、一端の固定部と、他端の可動部と、これらの間で上下平行に延びる一対のビーム部とが設けられた中空四角形状の起歪体を用い、前記ビーム部において前記固定部または可動部との連結部近傍で相対的に肉薄状とされた歪発生部としてのノッチ部にそれぞれ歪ゲージを貼り付けた構成で、荷重を負荷することにより、前記可動部が前記固定部に対して相対的に下方に変位することに伴って各歪発生部に圧縮歪または引張歪が生じたときに、これを歪ゲージによって検出することにより、負荷された荷重を測定するようになっている。
この発明の発酵分解処理装置は、上記ロードセルで処理槽を支持し、処理槽および処理槽の内容物を含む処理槽総重量、おが屑と廃棄有機物重量とを加算した処理槽内容物重量、廃棄有機物重量のみのいずれかを計測し、廃棄有機物が当該処理槽の処理能力の限界を越えて投入されることを、トイレを使用禁止として防止するようにしたものである。
【発明の効果】
【００１６】
以上説明した本発明によれば、廃棄有機物が当該処理槽の処理能力の限界を越えて投入されてしまうという問題を確実に解消することができ、しかも、メンテナンスの容易な発酵分解処理装置を提供することが可能となった。
【発明を実施するための最良の形態】
【００１７】
以下、添付の図１ないし図１０を参照して、本発明の実施の形態を説明する。図１は本発明を適用した発酵分解処理装置の要部を示す側面図、図２はその正面図、図３はロードセルの平面図、図４はその側面図、図５はその正面図、図６は片側中央近傍の１点支持部分に取り付けたロードセルで支持された状態を示す概略図、図７は片側二隅近傍の２点支持部分に取り付けたロードセルで支持された状態を示す概略図、図８は発酵分解処理装置の処理槽が片側中央近傍の１点支持部分と片側二隅近傍の２点支持部分に取り付けたロードセルで支持された状態を示す概略図、図９は発酵分解処理装置の処理槽がそれぞれ両側で一対をなす四隅近傍の４点支持部分に取り付けたロードセルで支持された状態を示す概略図、図１０（ａ）はトイレの全体像、（ｂ）はその要部を示し、１点支持の場合の概略図、図１１（ａ）はトイレの全体像、（ｂ）はその要部を示し、２点支持の場合の概略図である。
【００１８】
図１ないし図５において、この発酵分解処理装置２０は処理槽２１とその処理槽内に設置した攪拌部２２とその処理槽外に設置した駆動部２３とから構成し、従来のものと基本構造をほぼ同一にする。そして、処理槽２１はトイレ等のハウジング２４内に適宜の支持手段を介して設置されている。図１および図２においてはその支持手段としてロードセル２５が使用されている。
【００１９】
上記ロードセル２５は、一端の固定部１０１と、他端の可動部１０２と、これらの間で水平に延びるビーム部１０３とが設けられた四角形状の起歪体１００を用い、前記ビーム部１０３において前記固定部１０１または可動部１０２との連結部近傍で相対的に肉薄状とされた歪発生部としてのノッチ部１０４にそれぞれ歪ゲージ（図示せず）を貼り付けた構成で、荷重を負荷することにより、前記可動部１０２が前記固定部１０１に対して相対的に下方に変位することに伴って歪発生部としてのノッチ部１０４に圧縮歪または引張歪が生じたときに、これを歪ゲージによって検出することにより、負荷された荷重を測定するようになっている。
図において、１０５は固定部１０１を取り付ける固定枠で、固定台１０６上に設置されており、１０７は処理槽２１への連結枠である。ロードセル２５は固定部１０１および可動部１０２のそれぞれに設けたボルト孔１０８に挿通したボルト１０９によって各枠に取り付けられている。
【００２０】
上記実施例においては、図６に示すように、発酵分解処理装置２０の処理槽２１が、片側中央近傍の１点支持部位に取り付けたロードセル２５で支持されている。そしてその片側一対の支持部分はロードセルではなく、ダミー２６が使用されている。２７は重量指示計で、上記ロードセル２５に接続され、またこの重量指示計２７にはパトライトのような警報器２８がロードセル２５と直列に接続されている。
【００２１】
したがって、ロードセル２５で処理槽および処理槽の内容物を含む処理槽総重量、おが屑と廃棄有機物重量とを加算した処理槽内容物重量、廃棄有機物重量のみ、のいずれかを計測し、廃棄有機物が当該処理槽２１の処理能力の限界を越えて投入されることが明らかとなった時点で、所定の数値を設定された重量指示計２７の指示により警報器２８が作動するようになる。
【００２２】
また図７に示す実施例では、発酵分解処理装置３０の処理槽３１が、それぞれ片側二隅近傍の２点支持部位に取り付けたロードセル３５で支持されている。そしてその片側一対の支持部分はロードセルではなく、ダミー３６が使用されている。３７は重量指示計で、加算箱３９を介して上記一対のロードセル３５に接続され、またこの重量指示計３７にはパトライトのような警報器３８が加算箱３９と直列に接続されている。
【００２３】
削除
【００２４】
また図８に示す実施例では、発酵分解処理装置４０の処理槽４１が、それぞれ両側で一対をなす四隅近傍の４点支持部位に取り付けたロードセル４５で支持されている。４７は重量指示計で、加算箱４９を介して上記一対のロードセル４５に接続され、またこの重量指示計４７にはパトライトのような警報器４８が加算箱４９と直列に接続されている。
【００２５】
次に図９（ａ）はトイレの全体像、（ｂ）はその要部を示すもので、トイレの建屋５１にはそのドア５２の上部に、パトライトのような警報器５３が取り付けられている。この警報器５３は重量指示計５４を介して処理槽５５を支持する１点支持部位のロードセル５６に接続されている。５７はゆれ防止用ダミーである。
【００２６】
図１０（ａ）はトイレの全体像、（ｂ）はその要部を示すもので、この例ではトイレの建屋６１にはそのドア６２の上部に、パトライトのような警報器６３が取り付けられている。この警報器６３は重量指示計６４および和算箱６５を介して処理槽６６を支持する２点支持部位のロードセル６７に接続されている。６８はゆれ防止用ダミーである。
【産業上の利用可能性】
【００２７】
以上説明した本発明によれば、人や家畜の糞尿、生ごみ等の廃棄有機物を発酵分解する処理装置、特にトイレに好適な発酵分解処理装置を提供することができる。
【図面の簡単な説明】
【００２８】
【図１】この発明を適用した発酵分解処理装置の要部を示す側面図である。
【図２】その正面図である。
【図３】ロードセルの平面図である。
【図４】その側面図である。
【図５】その正面図である。
【図６】発酵分解処理装置の処理槽が片側中央近傍の１点支持部分に取り付けたロードセルで支持された状態を示す概略図である。
【図７】片側二隅近傍の２点支持部分に取り付けたロードセルで支持された状態を示す概略図である。
【図８】それぞれ両側で一対をなす四隅近傍の４点支持部分に取り付けたロードセルで支持された状態を示す概略図である。
【図９】（ａ）はトイレの全体像、（ｂ）はその要部を示し、１点支持の場合の概略図である。
【図１０】（ａ）はトイレの全体像、（ｂ）はその要部を示し、２点支持の場合の概略図である。
【図１１】従来の発酵分解処理装置の左側面図である。
【符号の説明】
【００２９】
２０  発酵分解処理装置
２１  処理槽
２２  攪拌部
２３  駆動部
２４  ハウジング
２５  ロードセル
２６  ダミー
２７  重量指示計
２８  警報器
３０  発酵分解処理装置
３１  処理槽
３５  ロードセル
３６  ダミー
３７  重量指示計
３８  警報器
３９  加算箱
４０  発酵分解処理装置
４１  処理槽
４５  ロードセル
４６  ロードセル
４７  重量指示計
４８  警報器
４９  加算箱
５１  トイレの建屋
５２  ドア
５３  警報器
５４  重量指示計
５５  処理槽
５６  ロードセル
５７  ゆれ防止用ダミー
６１  トイレの建屋
６３  警報器
６４  重量指示計
６５  和算箱
６６  処理槽
６７  ロードセル
６８  ゆれ防止用ダミー
１００  起歪体
１０１  固定部
１０２  可動部
１０３  ビーム部
１０４  ノッチ部
１０５  固定枠
１０６  固定台
１０７  連結枠
１０８  ボルト孔
１０９  ボルト